(57)【要約】【課題】防水部材を溝部に対し容易に挿入できるようにする。【解決手段】第１の部材１の周囲に一体的に設けられる防水部材７と、第１の部材１に合体する第２の部材２の周囲に設けられ防水部材７が挿入される溝部２１と、防水部材７に埋め込まれる補強部材８と、第１の部材１に対し補強部材８との間に設けられる緩衝部７１と、を備える。補強部材８は、第１の部材１に対しクリアランスによる緩衝部７１を設けて防水部材７に埋め込まれ、且つ、溝部２１に対する挿入方向に沿った薄板状の部材である。第１の部材１と第２の部材２は、合体して筐体を構成するケースである。【選択図】図４
2010087022.tif 000002
【特許請求の範囲】
【請求項１】
第１の部材の周囲に一体的に設けられる防水部材と、
前記第１の部材に合体する第２の部材の周囲に設けられ前記防水部材が挿入される溝部と、
前記防水部材に埋め込まれる補強部材と、
前記第１の部材に対し前記補強部材との間に設けられる緩衝部と、を備えることを特徴とする防水構造。
【請求項２】
前記補強部材は、前記第１の部材に対しクリアランスによる前記緩衝部を設けて前記防水部材に埋め込まれ、且つ、前記溝部に対する挿入方向に沿った薄板状の部材であることを特徴とする請求項１に記載の防水構造。
【請求項３】
前記第１の部材と第２の部材は、合体して筐体を構成するケースであることを特徴とする請求項１に記載の防水構造。
【請求項４】
前記補強部材は、前記防水部材の全周にわたって設けられることを特徴とする請求項１に記載の防水構造。
【請求項５】
前記補強部材は、前記防水部材の全周にわたる連続形状の成形品で、その一部を分割して長さ調整可能な調整部を有することを特徴とする請求項４に記載の防水構造。
【請求項６】
前記防水部材は、第１の部材の端部に延長して設けられる断面Ｌ字状をなすことを特徴とする請求項１に記載の防水構造。
【請求項７】
前記補強部材は、前記断面Ｌ字状の防水部材を貫通することを特徴とする請求項６に記載の防水構造。
【請求項８】
請求項１から７のいずれか一項に記載の防水構造による筐体を備えることを特徴とする電子機器。
【発明の詳細な説明】
【技術分野】
【０００１】
本発明は、防水部材を溝部に挿入するタイプの防水構造と、その防水構造による筐体を備える電子機器に関する。
【背景技術】
【０００２】
防水パッキンとして、断面がほぼ楕円形のゴムリングの内部中心に金属線を埋め込んだものが特許文献１により公知となっている。この防水パッキンは、裏側ケースの環状溝に嵌合させ表側ケースを圧接することで電子機器の防水を図るもので、金属線を埋め込んでいるため、防水パッキンが変形し難くなっており、通常の防水パッキンを環状溝に装着するのに比べ作業性が向上している。
【特許文献１】実開平５−５９８８５号公報
【発明の開示】
【発明が解決しようとする課題】
【０００３】
しかしながら、特許文献１の防水パッキンは、その防水パッキンと環状溝の加工精度が良くない場合には、防水パッキンを環状溝に対し簡単には装着することができなかった。すなわち、防水パッキンを環状溝に合うように曲げながら装着する必要があり、公差が大きいものでは通常の防水パッキンの装着より手間取ってしまうものである。
【０００４】
本発明の課題は、防水部材を溝部に対し容易に挿入できるようにすることである。
【課題を解決するための手段】
【０００５】
以上の課題を解決するため、請求項１に記載の発明は、第１の部材の周囲に一体的に設けられる防水部材と、前記第１の部材に合体する第２の部材の周囲に設けられ前記防水部材が挿入される溝部と、前記防水部材に埋め込まれる補強部材と、前記第１の部材に対し前記補強部材との間に設けられる緩衝部と、を備える防水構造を特徴とする。
【０００６】
請求項２に記載の発明は、請求項１に記載の防水構造であって、前記補強部材は、前記第１の部材に対しクリアランスによる前記緩衝部を設けて前記防水部材に埋め込まれ、且つ、前記溝部に対する挿入方向に沿った薄板状の部材であることを特徴とする。
【０００７】
請求項３に記載の発明は、請求項１に記載の防水構造であって、前記第１の部材と第２の部材は、合体して筐体を構成するケースであることを特徴とする。
【０００８】
請求項４に記載の発明は、請求項１に記載の防水構造であって、前記補強部材は、前記防水部材の全周にわたって設けられることを特徴とする。
【０００９】
請求項５に記載の発明は、請求項４に記載の防水構造であって、前記補強部材は、前記防水部材の全周にわたる連続形状の成形品で、その一部を分割して長さ調整可能な調整部を有することを特徴とする。
【００１０】
請求項６に記載の発明は、特徴とする請求項１に記載の防水構造であって、前記防水部材は、第１の部材の端部に延長して設けられる断面Ｌ字状をなすことを特徴とする。
【００１１】
請求項７に記載の発明は、請求項６に記載の防水構造であって、前記補強部材は、前記断面Ｌ字状の防水部材を貫通することを特徴とする。
【００１２】
請求項８に記載の発明は、請求項１から７のいずれか一項に記載の防水構造による筐体を備える電子機器を特徴とする。
【発明の効果】
【００１３】
本発明によれば、防水部材を溝部に対し容易に挿入することができる。
【発明を実施するための最良の形態】
【００１４】
以下、図を参照して本発明を実施するための最良の形態を詳細に説明する。
図１は本発明を適用した電子機器の一実施形態の構成として携帯電話を示したもので、１は上ケース、２は下ケース、３は操作部、４は表示部、５は送話部、６は受話部である。図示例において、筐体は上ケース１と下ケース２を周囲の防水構造を介してネジ止めしたもので、上ケース１に操作部３、表示部４、送話部５、受話部６等が設けられている。
【００１５】
図２は図１の筐体の上ケース１を内面側から見たもので、１１はネジ止め部、１３は操作キーシート、１４は表示窓、１５は送話用小窓、１６は受話用小窓である。図示のように、上ケース１には、その周囲の四隅部及び中間部にネジ止め部１１が形成されて、その内側に、操作部３の操作キーシート１３、表示部４の表示窓１４、送話部５の送話用小窓１５、受話部６の受話用小窓１６がそれぞれ防水シール構造をもって取り付けられている。
【００１６】
そして、上ケース１の内面周囲には、図３にも拡大して示したように、ゴム等の弾性シール材による防水部材７が一体に形成されている。この防水部材７は、ネジ止め部１１の内側に位置している。さらに、防水部材７には、その全周にわたって金属や硬質樹脂材等による補強部材８が埋設されている。この補強部材８は、防水部材７から一様に若干突出している。
【００１７】
（実施形態１）
図４は実施形態１の防水構造を示したもので、２１は溝部、７１は緩衝部である。すなわち、下ケース２の周囲内面には、上ケース１の防水部材７が挿入される溝部２１が形成されている。
【００１８】
また、防水部材７には、図示のように、下ケース２の溝部２１に対する挿入方向と平行する薄板状の補強部材８が、上ケース１の内面に対し若干のクリアランスによる緩衝部７１を設けてインサート成形により一体に埋め込まれている。この薄板状の補強部材８は、その先端が防水部材７から一様に若干突出している。
【００１９】
このような防水部材７を溝部２１に挿入する場合、その挿入方向と平行する薄板状の補強部材８が若干のクリアランスによる緩衝部７１を設けてインサートされているので、溝部２１に対し緩衝部７１により矢印で示した横方向への追従性を具備しながら容易に図４（ａ）に示すように挿入することができる。すなわち、図４（ｂ）に示すように、防水部材７を溝部２１に挿入する場合に、溝部２１と防水部材７との位置が公差によりずれていたとしても、緩衝部７１が撓んで防水部材７が溝部２１にみちびかれる。
【００２０】
以上、実施形態１の防水構造によれば、携帯電話の筐体において、上ケース１の全周の防水部材７を下ケース２の全周の溝部２１に対し容易に挿入することができる。すなわち、公差があり少しくらいずれていても緩衝部７１で防水部材７がしなるため、防水部材７を曲げるなどの手直しをする必要はない。
【００２１】
そして、防水部材７には、溝部２１への挿入方向と平行する薄板状の補強部材８が先端を若干突出させてインサートされているので、防水部材７の溝部２１に対する挿入方向への変形も抑制することができ、例えば局部的なしわの発生を抑えてリークも防止することができる。従って、良好な防水性能が得られる。
【００２２】
次に、図５は防水部材７及び補強部材８の成形方法の一例を示すものである。
先ず、型に部品を組み込む。すなわち、図５（ａ）に示すように、成形下型１００のキャビティ１０１内に薄板状の補強部材８をセットして、その成形下型１００の上に上ケース１を載せる。このとき、補強部材８の上端と上ケース１との間に若干のクリアランスを確保しておく。なお、図中、２００は成形上型である。
【００２３】
その後、型を閉じる。すなわち、図５（ｂ）に示すように、成形下型１００上の上ケース１に成形上型２００を重ねる。
【００２４】
そして、防水部材７を成形する。すなわち、図５（ｃ）に示すように、型閉じ状態において、成形下型１００のキャビティ１０１内に弾性部材（弾性シール材）を充填して、薄板状の補強部材８がインサートされた防水部材７を成形する。
【００２５】
その後、型を開く。すなわち、図５（ｄ）に示すように、成形下型１００上の上ケース１から上方に成形上型２００を上昇させる。
【００２６】
そして、部品を取り出す。すなわち、図５（ｅ）に示すように、薄板状の補強部材８がインサートされた防水部材７を一体に備える上ケース１を取出す。
【００２７】
最後に、補強部材８の余分な突出部分を切り取る。すなわち、図５（ｆ）に示すように、防水部材７の先端から突出した補強部材８の余分な突出部分を切り取る。
【００２８】
以上、インサート成形の場合を説明したが、成形方法は２色成形または３色成形でも良い。
【００２９】
また、図６は補強部材８のフォーミング例を示すもので、防水のための溝部２１の形状が複雑な場合、補強部材８の成形型への挿入が困難になることが予想される。
このため、予め、図示のように、溝部２１の形状に合わせて前記ネジ止め部１１の内側に回避させる屈曲部８１を形成した補強部材８をフォーミング加工しておく。
【００３０】
そして、図７は補強部材８の調整部の構成例を示すもので、熱膨張等の理由で補強部材８の周方向に調整代が必要な場合は、その一部を分割した長さ調整部を設ける。
すなわち、図７（ａ）に示すように、補強部材８の一部を分割した長さ調整部８２は、その両端部に前記溝部２１への挿入方向において上下に重なり合う端片部８３・８４を形成してなる。
【００３１】
あるいは、図７（ｂ）に示すように、補強部材８の一部を分割した長さ調整部８５は、その両端部に前記溝部２１への挿入方向において互いに挿入して上下に重なり合う中央の端片部８６及び溝部８７を形成してなる。
以上のように、長さ調整部８２・８５は、前記溝部２１への挿入方向において上下に重なり合う端片部８３・８４または中央の端片部８６及び溝部８７、すなわち、挿入方向に対して変形の少ない形状とする。
【００３２】
（実施形態２）
図８は実施形態２の防水構造を示したもので、図示のように、上ケース１の周囲端部に延長してクリアランスによる緩衝部７１を設けた断面Ｌ字状の防水部材７を一体成形するとともに、その断面Ｌ字状の防水部材７に貫通する薄板状の補強部材８をインサート成形している。
【００３３】
このような断面Ｌ字状の防水部材７を設けて、その断面Ｌ字状の防水部材７に薄板状の補強部材８を貫通させた構成としても、前述した実施形態１と同様の作用効果が得られる。
【００３４】
（変形例）
なお、以上の実施形態においては、携帯電話としたが、本発明はこれに限定されるものではなく、カメラ、ＰＤＡ、ノートパソコン、ウェアラブルパソコン、電卓、電子辞書など、筐体防水構造を備えた電子機器すべてに用いることができる。
また、補強部材は分割された構造であっても良い。
また、緩衝部は防水部材と異なる部材により一体成形したものであってもよい。
さらに、防水部材及び補強部材の材質や形状、調整部の構造等も任意であり、その他、具体的な細部構造等についても適宜に変更可能であることは勿論である。
【図面の簡単な説明】
【００３５】
【図１】本発明を適用した電子機器の一実施形態の構成を示すもので、携帯電話を示した斜視図である。
【図２】図１の筐体の上ケースを内面側から見た斜視図である。
【図３】図２の矢印Ａ部の拡大図である。
【図４】実施形態１の防水構造を示した縦断側面図であり、挿入状態を示す図（ａ）、挿入途中を示す図（ｂ）である。
【図５】防水部材及び補強部材の成形方法の一例を示すもので、型に部品を組み込む工程を示す図（ａ）、型閉じ工程を示す図（ｂ）、防水部材の成形工程を示す図（ｃ）、型開き工程を示す図（ｄ）、部品取り出し工程を示す図（ｅ）、及び補強部材の切り取り工程を示す図（ｆ）である。
【図６】補強部材のフォーミング例を示す斜視図である。
【図７】補強部材の調整部の構成例を示す側面図（ａ）（ｂ）である。
【図８】実施形態２の防水構造を示した縦断側面図である。
【符号の説明】
【００３６】
１  第１の部材（上ケース）
２  第２の部材（下ケース）
２１  溝部
７  防水部材
７１  緩衝部
８  補強部材
８２  調整部
８５  調整部
【図１】
2010087022.tif 000003
【図２】
2010087022.tif 000004
【図３】
2010087022.tif 000005
【図４】
2010087022.tif 000006
【図５】
2010087022.tif 000007
【図６】
2010087022.tif 000008
【図７】
2010087022.tif 000009
【図８】
2010087022.tif 000010